(57)【要約】  本発明の実施形態は、ビデオ会議情報提示方法、ビデオ会議情報提示装置、及びビデオ会議情報提示システムを提供する。本発明の実施形態は、通信技術の分野に関し、ネットワーク・ビデオ会議におけるビデオ会議情報を提示する問題を解決するために使用される。ビデオ会議情報提示方法は、第１のビデオ・エンドポイントにより送信された、第１の時点における第１のビデオ・エンドポイントの検出領域内の障害物の第１の位置に関する情報を受信するステップと、第１の位置が属する第１のプリセット範囲に関する情報を取得するステップと、第１のプリセット範囲が、第２の時点における障害物の第２の位置が属する第２のプリセット範囲と同一であるかどうかを判定するステップであって、第２の時点は、第１の時点よりも前の時点である、判定するステップと、第１のプリセット範囲が第２のプリセット範囲と異なる場合、第１のプリセット範囲に対応する第１のビデオ会議情報提示方式を取得するステップと、ビデオ会議情報を提示するステップであって、提示方式は、障害物が属するプリセット範囲に対応する、提示するステップと、を含む。本発明の実施形態において提供されるビデオ会議情報提示方法、ビデオ会議情報提示装置、及びビデオ会議情報提示システムは、ビデオ効果のために比較的高い要件を有するビデオ会議デバイスに適用することができる。
2016523053.tif 000002
【特許請求の範囲】
【請求項１】
ビデオ会議情報提示方法であって、
第１のビデオ・エンドポイントにより送信された、第１の時点における障害物の第１の位置に関する情報を受信するステップであって、前記第１のビデオ・エンドポイントは、マルチポイント・ビデオ会議における任意のビデオ・エンドポイントであり、前記第１の位置は、前記第１のビデオ・エンドポイントの検出領域内の前記障害物が前記第１の時点において位置する位置である、受信するステップと、
第１のプリセット範囲に関する情報を取得するステップであって、前記第１のプリセット範囲は、前記第１の位置が属するプリセット範囲であり、前記プリセット範囲は、前記第１のビデオ・エンドポイントの前記検出領域を予め分割することにより形成された領域モジュールである、取得するステップと、
前記第１のプリセット範囲が第２のプリセット範囲と同一であるかどうかを判定するステップであって、前記第２のプリセット範囲は、第２の時点における前記障害物の第２の位置が属するプリセット範囲であり、前記第２の時点は、前記第１の時点よりも前の時点である、判定するステップと、
前記第１のプリセット範囲が前記第２のプリセット範囲と異なる場合、前記第１のプリセット範囲に対応する第１のビデオ会議情報提示方式を取得するステップと、
ビデオ会議情報及び前記ビデオ会議情報の提示方式を前記第１のビデオ・エンドポイントに送信するステップであって、前記ビデオ会議情報の前記提示方式は、前記第１のビデオ会議情報提示方式である、送信するステップと、
前記第１のプリセット範囲が前記第２のプリセット範囲と同一である場合、前記ビデオ会議情報及び前記ビデオ会議情報の前記提示方式を前記第１のビデオ・エンドポイントに送信するステップであって、前記ビデオ会議情報の前記提示方式は、第２のビデオ会議情報提示方式であり、前記第２のビデオ会議情報提示方式は、前記第２のプリセット範囲に対応するビデオ会議情報提示方式である、送信するステップと、
を含む、ビデオ会議情報提示方法。
【請求項２】
第１のビデオ・エンドポイントにより送信された、第１の時点における障害物の第１の位置に関する情報を受信する前記ステップの前に、
前記第１のビデオ・エンドポイントの前記検出領域を複数の領域モジュールに分割するステップであって、各領域モジュールは、プリセット範囲に対応する、分割するステップと、
各プリセット範囲に対して、計算により、各プリセット範囲に対応するビデオ会議情報提示方式を生成するステップと、
をさらに含む、請求項１記載のビデオ会議情報提示方法。
【請求項３】
前記ビデオ会議情報提示方式は、ビデオ会議情報表示インタフェースのサイズ、位置、及び透明度を含む、請求項１又は２記載のビデオ会議情報提示方法。
【請求項４】
ビデオ会議情報提示方法であって、
第１のビデオ・エンドポイントにより、第１の時点における前記第１のビデオ・エンドポイントの第１の位置に関する情報をビデオ・サーバに送信するステップであって、前記第１のビデオ・エンドポイントは、マルチポイント・ビデオ会議における任意のビデオ・エンドポイントであり、前記第１の位置は、前記第１のビデオ・エンドポイントの検出領域内の障害物が前記第１の時点において位置する位置である、送信するステップと、
前記第１のビデオ・エンドポイントにより、前記ビデオ・サーバにより送信されたビデオ会議情報及び前記ビデオ会議情報の提示方式を受信するステップであって、前記ビデオ会議情報の前記提示方式は、第１のビデオ会議情報提示方式又は第２のビデオ会議情報提示方式であり、前記ビデオ会議情報の前記提示方式は、前記第１の時点における前記第１のビデオ・エンドポイントの前記第１の位置に従って、前記ビデオ・サーバにより決定される、受信するステップと、
前記第１のビデオ・エンドポイントにより、前記第１のビデオ会議情報提示方式又は前記第２のビデオ会議情報提示方式で、前記の受信したビデオ会議情報を提示するステップと、
を含む、ビデオ会議情報提示方法。
【請求項５】
前記ビデオ会議情報の前記提示方式は、ビデオ会議情報表示インタフェースのサイズ、位置、及び透明度を含む、請求項４記載のビデオ会議情報提示方法。
【請求項６】
サーバ・サイドのビデオ会議情報提示装置であって、
第１のビデオ・エンドポイントにより送信された、第１の時点における障害物の第１の位置に関する情報を受信するよう構成された受信モジュールであって、前記第１のビデオ・エンドポイントは、マルチポイント・ビデオ会議における任意のビデオ・エンドポイントであり、前記第１の位置は、前記第１のビデオ・エンドポイントの検出領域内の前記障害物が前記第１の時点において位置する位置である、受信モジュールと、
第１のプリセット範囲に関する情報を取得するよう構成された取得モジュールであって、前記第１のプリセット範囲は、前記第１の位置が属するプリセット範囲であり、前記プリセット範囲は、前記第１のビデオ・エンドポイントの前記検出領域を予め分割することにより形成された領域モジュールである、取得モジュールと、
前記第１のプリセット範囲が第２のプリセット範囲と同一であるかどうかを判定するよう構成された判定モジュールであって、前記第２のプリセット範囲は、第２の時点における前記障害物の第２の位置が属するプリセット範囲であり、前記第２の時点は、前記第１の時点よりも前の時点であり、前記取得モジュールは、さらに、前記第１のプリセット範囲に対応する第１のビデオ会議情報提示方式を取得するよう構成される、判定モジュールと、
ビデオ会議情報及び前記ビデオ会議情報の提示方式を前記第１のビデオ・エンドポイントに送信するよう構成された送信モジュールであって、前記ビデオ会議情報の前記提示方式は、前記第１のビデオ会議情報提示方式であり、前記送信モジュールは、さらに、前記ビデオ会議情報及び前記ビデオ会議情報の前記提示方式を前記第１のビデオ・エンドポイントに送信するよう構成され、前記ビデオ会議情報の前記提示方式は、第２のビデオ会議情報提示方式であり、前記第２のビデオ会議情報提示方式は、前記第２のプリセット範囲に対応するビデオ会議情報提示方式である、送信モジュールと、
を備えた、ビデオ会議情報提示装置。
【請求項７】
前記第１のビデオ・エンドポイントの前記検出領域を複数の領域モジュールに分割するよう構成された分割モジュールであって、各領域モジュールは、プリセット範囲に対応する、分割モジュールと、
各プリセット範囲に対して、計算により、各プリセット範囲に対応するビデオ会議情報提示方式を生成するよう構成された計算モジュールと、
をさらに備えた、請求項６記載のビデオ会議情報提示装置。
【請求項８】
前記ビデオ会議情報提示方式は、ビデオ会議情報表示インタフェースのサイズ、位置、及び透明度を含む、請求項６又は７記載のビデオ会議情報提示装置。
【請求項９】
エンドポイント・サイドのビデオ会議情報提示装置であって、
第１の時点における第１のビデオ・エンドポイントの第１の位置に関する情報をビデオ・サーバに送信するよう構成された送信モジュールであって、前記第１のビデオ・エンドポイントは、マルチポイント・ビデオ会議における任意のビデオ・エンドポイントであり、前記第１の位置は、前記第１のビデオ・エンドポイントの検出領域内の障害物が前記第１の時点において位置する位置である、送信モジュールと、
前記ビデオ・サーバにより送信されたビデオ会議情報及び前記ビデオ会議情報の提示方式を受信するよう構成された受信モジュールであって、前記ビデオ会議情報の前記提示方式は、第１のビデオ会議情報提示方式又は第２のビデオ会議情報提示方式であり、前記ビデオ会議情報の前記提示方式は、前記第１の時点における前記第１のビデオ・エンドポイントの前記第１の位置に従って、前記ビデオ・サーバにより決定される、受信モジュールと、
前記第１のビデオ会議情報提示方式又は前記第２のビデオ会議情報提示方式で、前記の受信したビデオ会議情報を提示するよう構成された提示モジュールと、
を備えた、ビデオ会議情報提示装置。
【請求項１０】
前記ビデオ会議情報の前記提示方式は、ビデオ会議情報表示インタフェースのサイズ、位置、及び透明度を含む、請求項９記載のビデオ会議情報提示装置。
【請求項１１】
ビデオ会議情報提示システムであって、
ビデオ・サーバ及びビデオ・エンドポイントを備え、
前記ビデオ・サーバは、請求項６乃至８いずれか一項記載のサーバ・サイドのビデオ会議情報提示装置を使用し、前記ビデオ・エンドポイントは、請求項９又は１０記載のエンドポイント・サイドのビデオ会議情報提示装置を使用する、ビデオ会議情報提示システム。
【発明の詳細な説明】
【技術分野】
【０００１】
本出願は、２０１４年４月１７日に中国特許庁に出願された「ビデオ会議情報提示方法、ビデオ会議情報提示装置、及びビデオ会議情報提示システム」と題する中国特許出願第２０１４１０１５６０３６．９の優先権を主張し、参照することにより、その全内容が本明細書に組み込まれる。
【０００２】
本発明の実施形態は、通信技術の分野に関し、詳細には、ビデオ会議情報提示方法、ビデオ会議情報提示装置、及びビデオ会議情報提示システムに関する。
【背景技術】
【０００３】
通信技術の発展に伴い、マルチポイント・ビデオ会議が広く適用されている。マルチポイント・ビデオ通信において、参加者の画像を含むビデオ会議情報と、ビデオ会議の共有マテリアルとして使用されるサブ・ストリーム情報とが、各ビデオ・エンドポイントにおいて参加者に提示される必要がある。
【０００４】
従来技術において、マルチポイント・ビデオ・ブリッジが一般に使用されている。まず、各ビデオ・エンドポイントから到来するビデオ信号が、単一のビデオ出力信号を生成するために結合される。次いで、ビデオ出力信号が、各ビデオ・エンドポイントにより共有され、それにより、各ビデオ・エンドポイントにおいて、ビデオ出力信号のビデオ会議情報を参加者に提示する。理想的なケースでは、各ビデオ・エンドポイントにおける参加者は、他のビデオ・エンドポイントにおける参加者の画像を含むビデオ会議情報と、ビデオ会議の共有マテリアルとして使用されるサブ・ストリーム情報とを見ることができる。
【発明の概要】
【発明が解決しようとする課題】
【０００５】
しかしながら、マルチポイント・ビデオ会議のプロセスにおいて、各ビデオ・エンドポイントにおける参加者は、概して複雑である。例えば、ビデオ・エンドポイントにおける話者は、ビデオ会議情報を参照することにより、プレゼンテーションを提供する必要がある。異なる話者は、一般に、プレゼンテーション・プロセスにおいて、異なる立位姿勢習慣を有し、ディスプレイ・スクリーンに対する話者の立位位置は異なる。したがって、他のビデオ・エンドポイントにおける参加者にとって、話者がビデオ会議情報を遮るという問題が存在し、それにより、ビデオ会議効果が不十分であり、参加者間の通信効率が低いことの原因となっている。
【課題を解決するための手段】
【０００６】
本発明の実施形態は、ビデオ会議における参加者間の通信効率を向上させるために使用されるビデオ会議情報提示方法、ビデオ会議情報提示装置、及びビデオ会議情報提示システムを提供する。
【０００７】
前述の目的を達成するために、本発明の実施形態において、以下の技術的解決策が使用される。
【０００８】
第１の側面に従うと、本発明の実施形態は、
第１のビデオ・エンドポイントにより送信された、第１の時点における障害物の第１の位置に関する情報を受信するステップであって、前記第１のビデオ・エンドポイントは、マルチポイント・ビデオ会議における任意のビデオ・エンドポイントであり、前記第１の位置は、前記第１のビデオ・エンドポイントの検出領域内の前記障害物が前記第１の時点において位置する位置である、受信するステップと、
第１のプリセット範囲に関する情報を取得するステップであって、前記第１のプリセット範囲は、前記第１の位置が属するプリセット範囲であり、前記プリセット範囲は、前記第１のビデオ・エンドポイントの前記検出領域を予め分割することにより形成された領域モジュールである、取得するステップと、
前記第１のプリセット範囲が第２のプリセット範囲と同一であるかどうかを判定するステップであって、前記第２のプリセット範囲は、第２の時点における前記障害物の第２の位置が属するプリセット範囲であり、前記第２の時点は、前記第１の時点よりも前の時点である、判定するステップと、
前記第１のプリセット範囲が前記第２のプリセット範囲と異なる場合、前記第１のプリセット範囲に対応する第１のビデオ会議情報提示方式を取得するステップと、
ビデオ会議情報及び前記ビデオ会議情報の提示方式を前記第１のビデオ・エンドポイントに送信するステップであって、前記ビデオ会議情報の前記提示方式は、前記第１のビデオ会議情報提示方式である、送信するステップと、
前記第１のプリセット範囲が前記第２のプリセット範囲と同一である場合、前記ビデオ会議情報及び前記ビデオ会議情報の前記提示方式を前記第１のビデオ・エンドポイントに送信するステップであって、前記ビデオ会議情報の前記提示方式は、第２のビデオ会議情報提示方式であり、前記第２のビデオ会議情報提示方式は、前記第２のプリセット範囲に対応するビデオ会議情報提示方式である、送信するステップと、
を含む、ビデオ会議情報提示方法を提供する。
【０００９】
第１の側面の第１の可能な実装態様において、当該ビデオ会議情報提示方法は、第１のビデオ・エンドポイントにより送信された、第１の時点における障害物の第１の位置に関する情報を受信する前記ステップの前に、
前記第１のビデオ・エンドポイントの前記検出領域を複数の領域モジュールに分割するステップであって、各領域モジュールは、プリセット範囲に対応する、分割するステップと、
各プリセット範囲に対して、計算により、各プリセット範囲に対応するビデオ会議情報提示方式を生成するステップと、
をさらに含む。
【００１０】
第１の側面又は第１の側面の第１の可能な実装態様に関して、第２の可能な実装態様において、前記ビデオ会議情報提示方式は、ビデオ会議情報表示インタフェースのサイズ、位置、及び透明度を含む。
【００１１】
第２の側面に従うと、本発明の実施形態は、
第１のビデオ・エンドポイントにより、第１の時点における前記第１のビデオ・エンドポイントの第１の位置に関する情報をビデオ・サーバに送信するステップであって、前記第１のビデオ・エンドポイントは、マルチポイント・ビデオ会議における任意のビデオ・エンドポイントであり、前記第１の位置は、前記第１のビデオ・エンドポイントの検出領域内の障害物が前記第１の時点において位置する位置である、送信するステップと、
前記第１のビデオ・エンドポイントにより、前記ビデオ・サーバにより送信されたビデオ会議情報及び前記ビデオ会議情報の提示方式を受信するステップであって、前記ビデオ会議情報の前記提示方式は、第１のビデオ会議情報提示方式又は第２のビデオ会議情報提示方式であり、前記ビデオ会議情報の前記提示方式は、前記第１の時点における前記第１のビデオ・エンドポイントの前記第１の位置に従って、前記ビデオ・サーバにより決定される、受信するステップと、
前記第１のビデオ・エンドポイントにより、前記第１のビデオ会議情報提示方式又は前記第２のビデオ会議情報提示方式で、前記の受信したビデオ会議情報を提示するステップと、
を含む、ビデオ会議情報提示方法を提供する。
【００１２】
第２の側面の第１の可能な実装態様において、前記ビデオ会議情報の前記提示方式は、ビデオ会議情報表示インタフェースのサイズ、位置、及び透明度を含む。
【００１３】
第３の側面に従うと、本発明の実施形態は、サーバ・サイドのビデオ会議情報提示装置を提供し、当該ビデオ会議情報提示装置は、
第１のビデオ・エンドポイントにより送信された、第１の時点における障害物の第１の位置に関する情報を受信するよう構成された受信モジュールであって、前記第１のビデオ・エンドポイントは、マルチポイント・ビデオ会議における任意のビデオ・エンドポイントであり、前記第１の位置は、前記第１のビデオ・エンドポイントの検出領域内の前記障害物が前記第１の時点において位置する位置である、受信モジュールと、
第１のプリセット範囲に関する情報を取得するよう構成された取得モジュールであって、前記第１のプリセット範囲は、前記第１の位置が属するプリセット範囲であり、前記プリセット範囲は、前記第１のビデオ・エンドポイントの前記検出領域を予め分割することにより形成された領域モジュールである、取得モジュールと、
前記第１のプリセット範囲が第２のプリセット範囲と同一であるかどうかを判定するよう構成された判定モジュールであって、前記第２のプリセット範囲は、第２の時点における前記障害物の第２の位置が属するプリセット範囲であり、前記第２の時点は、前記第１の時点よりも前の時点であり、前記取得モジュールは、さらに、前記第１のプリセット範囲に対応する第１のビデオ会議情報提示方式を取得するよう構成される、判定モジュールと、
ビデオ会議情報及び前記ビデオ会議情報の提示方式を前記第１のビデオ・エンドポイントに送信するよう構成された送信モジュールであって、前記ビデオ会議情報の前記提示方式は、前記第１のビデオ会議情報提示方式であり、前記送信モジュールは、さらに、前記ビデオ会議情報及び前記ビデオ会議情報の前記提示方式を前記第１のビデオ・エンドポイントに送信するよう構成され、前記ビデオ会議情報の前記提示方式は、第２のビデオ会議情報提示方式であり、前記第２のビデオ会議情報提示方式は、前記第２のプリセット範囲に対応するビデオ会議情報提示方式である、送信モジュールと、
を備える。
【００１４】
第３の側面の第１の可能な実装態様において、当該ビデオ会議情報提示装置は、
前記第１のビデオ・エンドポイントの前記検出領域を複数の領域モジュールに分割するよう構成された分割モジュールであって、各領域モジュールは、プリセット範囲に対応する、分割モジュールと、
各プリセット範囲に対して、計算により、各プリセット範囲に対応するビデオ会議情報提示方式を生成するよう構成された計算モジュールと、
をさらに備える。
【００１５】
第３の側面又は第３の側面の第１の可能な実装態様に関して、第２の可能な実装態様において、前記ビデオ会議情報提示方式は、ビデオ会議情報表示インタフェースのサイズ、位置、及び透明度を含む。
【００１６】
第４の側面に従うと、本発明の実施形態は、エンドポイント・サイドのビデオ会議情報提示装置を提供し、当該ビデオ会議情報提示装置は、
第１の時点における第１のビデオ・エンドポイントの第１の位置に関する情報をビデオ・サーバに送信するよう構成された送信モジュールであって、前記第１のビデオ・エンドポイントは、マルチポイント・ビデオ会議における任意のビデオ・エンドポイントであり、前記第１の位置は、前記第１のビデオ・エンドポイントの検出領域内の障害物が前記第１の時点において位置する位置である、送信モジュールと、
前記ビデオ・サーバにより送信されたビデオ会議情報及び前記ビデオ会議情報の提示方式を受信するよう構成された受信モジュールであって、前記ビデオ会議情報の前記提示方式は、第１のビデオ会議情報提示方式又は第２のビデオ会議情報提示方式であり、前記ビデオ会議情報の前記提示方式は、前記第１の時点における前記第１のビデオ・エンドポイントの前記第１の位置に従って、前記ビデオ・サーバにより決定される、受信モジュールと、
前記第１のビデオ会議情報提示方式又は前記第２のビデオ会議情報提示方式で、前記の受信したビデオ会議情報を提示するよう構成された提示モジュールと、
を備える。
【００１７】
第４の側面の第１の可能な実装態様において、前記ビデオ会議情報の前記提示方式は、ビデオ会議情報表示インタフェースのサイズ、位置、及び透明度を含む。
【００１８】
第５の側面に従うと、本発明の実施形態は、ビデオ会議情報提示システムを提供し、当該ビデオ会議情報提示システムは、
ビデオ・サーバ及びビデオ・エンドポイントを備え、
前記ビデオ・サーバは、本発明の任意の実施形態により提供されるサーバ・サイドのビデオ会議情報提示装置を使用し、前記ビデオ・エンドポイントは、本発明の任意の実施形態により提供されるエンドポイント・サイドのビデオ会議情報提示装置を使用する。
【００１９】
本発明の実施形態において提供される技術的解決策に従うと、第１のビデオ・エンドポイントは、まず、第１の時点における第１のビデオ・エンドポイントの検出領域内の障害物の第１の位置に関する情報をビデオ・サーバに送信する。第１のビデオ・エンドポイントにより送信された第１の位置に関する情報を受信した後、ビデオ・サーバは、第１の位置が属する第１のプリセット範囲に関する情報を取得し；第１のプリセット範囲が、第２の時点における障害物の第２の位置が属する第２のプリセット範囲と同一であるかどうかを判定し、ここで、第２の時点は、第１の時点よりも前の時点であり；最後に、ビデオ会議情報の提示方式を取得して、ビデオ会議情報及びビデオ会議情報の提示方式を第１のビデオ・エンドポイントに送信する。ビデオ・サーバにより送信されたビデオ会議情報及びビデオ会議情報の提示方式を受信した後、第１のビデオ・エンドポイントは、受信したビデオ会議情報の提示方式で、受信したビデオ会議情報を提示する。これにより、障害物がビデオ会議情報を遮ることを回避することができ、ビデオ会議における参加者間の通信効率を向上させることができる。
【図面の簡単な説明】
【００２０】
本発明の実施形態における技術的解決策をより明確に説明するために、以下は、実施形態又は従来技術を説明するために必要とされる添付の図面を簡単に紹介する。明らかなことに、以下の説明における添付の図面は、本発明のいくつかの実施形態を単に示すに過ぎず、当業者は、創作的努力なしに、これらの添付の図面からさらに他の図面を導出することができる。
【図１】図１は、本発明に従ったビデオ会議情報提示方法の実施形態１のフローチャートである。
【図２】図２は、本発明に従ったビデオ会議情報提示方法の実施形態２のフローチャートである。
【図３】図３は、本発明に従ったビデオ会議情報提示方法の実施形態３の概略図である。
【図４】図４は、本発明に従ったビデオ会議情報提示方法の実施形態４のフローチャートである。
【図５】図５は、本発明に従ったビデオ会議情報提示方法の実施形態５の概略図である。
【図６】図６は、本発明に従ったビデオ会議情報提示方法の実施形態６のフローチャートである。
【図７】図７は、本発明に従ったビデオ会議情報提示装置の実施形態１の概略構造図である。
【図８】図８は、本発明に従ったビデオ会議情報提示装置の実施形態２の概略構造図である。
【図９】図９は、本発明に従ったビデオ会議情報提示装置の実施形態３の概略構造図である。
【図１０】図１０は、本発明の実施形態に従ったビデオ会議情報提示システムの概略構造図である。
【発明を実施するための形態】
【００２１】
以下は、本発明の実施形態における添付の図面を参照して、本発明の実施形態における技術的解決策を明確且つ完全に説明する。明らかなことに、説明される実施形態は、本発明の実施形態の単に一部に過ぎず、本発明の実施形態の全てではない。創作的努力なしに本発明の実施形態に基づいて当業者により得られる全ての他の実施形態は、本発明の保護範囲内に含まれるべきである。
【００２２】
図１は、本発明に従ったビデオ会議情報提示方法の実施形態１のフローチャートである。図１に示されるように、この実施形態における方法は、以下の内容を含み得る。
【００２３】
Ｓ１０１。第１のビデオ・エンドポイントにより送信された、第１の時点における障害物の第１の位置に関する情報を受信する。
【００２４】
第１のビデオ・エンドポイントは、マルチポイント・ビデオ会議における任意のビデオ・エンドポイントであり、第１の位置は、第１のビデオ・エンドポイントの検出領域内の障害物が第１の時点において位置する位置である。
【００２５】
詳細には、ビデオ・サーバは、第１のビデオ・エンドポイントにより送信された、第１の時点における障害物の第１の位置に関する情報を受信する。第１のビデオ・エンドポイントは、（デプス・カメラ等の）位置検出デバイスを用いることにより、第１のビデオ・エンドポイントの検出領域内の障害物のリアルタイム位置情報を収集することができ、リアルタイム位置情報をビデオ・サーバに送信する。第１のビデオ・エンドポイントの検出領域内の障害物は、オフィス機器、会議スピーカ等である。
【００２６】
Ｓ１０２。第１のプリセット範囲に関する情報を取得する。ここで、第１のプリセット範囲は、第１の位置が属するプリセット範囲である。
【００２７】
プリセット範囲は、第１のビデオ・エンドポイントの検出領域を予め分割することにより形成された領域モジュールである。
【００２８】
詳細には、ビデオ・サーバは、第１のビデオ・エンドポイントのビデオ会議情報表示デバイスと参加者との間の位置関係に従って、第１のビデオ・エンドポイントの検出領域を複数の領域モジュールに分割することができる。障害物が、検出領域の異なる領域モジュール内にあるとき、参加者の閲覧を容易にする異なるビデオ会議情報表示ソリューションが計算されて生成される。
【００２９】
Ｓ１０３。第１のプリセット範囲が第２のプリセット範囲と同一であるかどうかを判定する。
【００３０】
第２のプリセット範囲は、第２の時点における障害物の第２の位置が属するプリセット範囲である。ここで、第２の時点は、第１の時点よりも前の時点である。
【００３１】
詳細には、第１のビデオ・エンドポイントにより送信された、第１の時点における障害物の第１の位置に関する情報を受信して、第１の位置が属するプリセット範囲を取得した後、ビデオ・サーバは、さらに、第１の時点における第１のビデオ・エンドポイントの第１の位置及び第２の時点における第１のビデオ・エンドポイントの第２の位置が同一のプリセット範囲に属するかどうかを判定する。ここで、第２の時点は、第１の時点よりも前の時点である。第１の位置及び第２の位置が同一のプリセット範囲に属さない場合、Ｓ１０４が実行される。第１の位置及び第２の位置が同一のプリセット範囲に属する場合、Ｓ１０６が実行される。
【００３２】
Ｓ１０４。第１のプリセット範囲に対応する第１のビデオ会議情報提示方式を取得する。
【００３３】
詳細には、第１の時点における第１のビデオ・エンドポイントの第１の位置及び第２の時点における第１のビデオ・エンドポイントの第２の位置が、異なるプリセット範囲に属するとき、第１のビデオ・エンドポイントにおけるビデオ会議情報の提示方式は、更新される必要がある。したがって、第１のプリセット範囲に対応する第１のビデオ会議情報提示方式が、再度取得される必要がある。
【００３４】
Ｓ１０５。ビデオ会議情報及びビデオ会議情報の提示方式に関する情報を第１のビデオ・エンドポイントに送信する。ここで、ビデオ会議情報の提示方式は、第１のビデオ会議情報提示方式である。
【００３５】
詳細には、第１のビデオ・エンドポイントが、参加者の閲覧を容易にする方式でビデオ会議情報を提示できるように、第１の時点における第１のビデオ・エンドポイントの第１の位置及び第２の時点における第１のビデオ・エンドポイントの第２の位置が異なるプリセット範囲に属すると判定して、第１のプリセット範囲に対応する第１のビデオ会議情報提示方式を取得した後、ビデオ・サーバは、ビデオ会議の共有サブ・ストリームを含むビデオ会議情報と、ビデオ会議情報に対応するビデオ会議情報提示方式に関する情報とを一緒に第１のビデオ・エンドポイントに送信する。
【００３６】
Ｓ１０６。ビデオ会議情報及びビデオ会議情報の提示方式に関する情報を第１のビデオ・エンドポイントに送信する。ここで、ビデオ会議情報の提示方式は、第２のビデオ会議情報提示方式である。
【００３７】
第２のビデオ会議情報提示方式は、第２のプリセット範囲に対応するビデオ会議情報提示方式である。
【００３８】
詳細には、第１の時点における第１のビデオ・エンドポイントの第１の位置及び第２の時点における第１のビデオ・エンドポイントの第２の位置が同一のプリセット範囲に属すると判定した後、ビデオ・サーバは、第１のビデオ・エンドポイントにおけるビデオ会議情報の提示方式は更新される必要がないと学習する。したがって、第１のビデオ・エンドポイントが、参加者の閲覧を容易にする方式でビデオ会議情報を提示できるように、ビデオ・サーバは、ビデオ会議の共有サブ・ストリームを含むビデオ会議情報と、ビデオ会議情報に対応する第２のビデオ会議情報提示方式に関する情報とを第１のビデオ・エンドポイントに送信する。
【００３９】
この実施形態において、ビデオ・サーバは、第１のビデオ・エンドポイントにより送信された、第１の時点における第１のビデオ・エンドポイントの検出領域内の障害物の第１の位置に関する情報を受信し；第１の位置が属する第１のプリセット範囲に関する情報を取得し；第１のプリセット範囲が、第２の時点における障害物の第２の位置が属する第２のプリセット範囲と同一であるかどうかを判定し、ここで、第２の時点は、第１の時点よりも前の時点であり；ビデオ・サーバにより送信されるビデオ会議情報及びビデオ会議情報の提示方式を受信した後、第１のビデオ・エンドポイントが、参加者の閲覧を容易にする方式でビデオ会議情報を提示できるように、最後に、ビデオ会議情報の提示方式を取得して、ビデオ会議情報及びビデオ会議情報の提示方式に関する情報を第１のビデオ・エンドポイントに送信する。これにより、障害物がビデオ会議情報を遮ることを回避することができ、ビデオ会議における参加者間の通信効率を向上させることができる。
【００４０】
図２は、本発明に従ったビデオ会議情報提示方法の実施形態２のフローチャートである。図２に示されるように、図１に示される本発明の方法の実施形態１に基づいて、Ｓ１０１の、第１のビデオ・エンドポイントにより送信された、第１の時点における障害物の第１の位置に関する情報を受信する前に、この実施形態における方法は、以下の内容をさらに含み得る。
【００４１】
Ｓ２０１。第１のビデオ・エンドポイントの検出領域を複数の領域モジュールに分割する。ここで、各領域モジュールは、プリセット範囲に対応する。
【００４２】
詳細には、第１のビデオ・エンドポイントの検出領域内の障害物の位置は、概して変わりやすい。例えば、話者は、概して、プレゼンテーション・プロセスにおいて検出領域を歩き回り、立位姿勢も変化する。したがって、参加者の閲覧を容易にするために、異なるビデオ会議情報提示方式が、検出領域内の障害物の位置範囲に応じて提供される必要がある。
【００４３】
Ｓ２０２。各プリセット範囲に対して、計算により、各プリセット範囲に対応するビデオ会議情報提示方式を生成する。
【００４４】
詳細には、参加者が、ビデオ会議情報のより良い閲覧効果を得ることができるように、第１のビデオ・エンドポイントのビデオ会議情報表示デバイスと参加者との間の位置関係、及び、障害物の位置及びサイズ等の情報に従って、障害物が属するプリセット範囲に対応するビデオ会議情報提示方式が、計算により生成され得る。
【００４５】
この実施形態において、各領域モジュールが、プリセット範囲に対応するように、ビデオ・サーバは、第１のビデオ・エンドポイントの検出領域を複数の領域モジュールに分割し；各プリセット範囲に対して、計算により、各プリセット範囲に対応するビデオ会議情報提示方式を生成する。それにより、障害物がビデオ会議情報を遮ることを回避することができ、参加者が、ビデオ会議情報のより良い閲覧効果を得ることができるようになり、ビデオ会議における参加者間の通信効率を向上させることができる。
【００４６】
前述の方法において、ビデオ会議情報提示方式は、ビデオ会議情報表示インタフェースのサイズ、位置、及び透明度を含み得る。
【００４７】
図３は、本発明に従ったビデオ会議情報提示方法の実施形態３の概略図である。図３に示されるように、ビデオ・エンドポイントにおいて、話者３０１が、ビデオ・エンドポイントの検出領域３０２内に立っている。ビデオ会議情報は、参加者のプロフィール画像及び会議ドキュメントを含む。ビデオ会議情報は、ビデオ・エンドポイントの表示デバイス３０３上に動的に提示される。話者３０１が、ビデオ・エンドポイントの検出領域３０２の左側に立っているとき、表示されるドキュメントは、右側に移動する。参加者が、ビデオ会議情報のより良い閲覧効果を得ることができるように、ビデオ会議情報表示インタフェースのサイズ、位置、及び透明度が、ビデオ・エンドポイントの検出領域内の障害物の位置に従って調整され得る。それにより、ビデオ会議における参加者間の通信効率を向上させることができる。
【００４８】
図４は、本発明に従ったビデオ会議情報提示方法の実施形態４のフローチャートである。図４に示されるように、この実施形態における方法は、以下の内容を含み得る。
【００４９】
Ｓ４０１。第１のビデオ・エンドポイントは、第１の時点における第１のビデオ・エンドポイントの第１の位置に関する情報をビデオ・サーバに送信する。
【００５０】
第１のビデオ・エンドポイントは、マルチポイント・ビデオ会議における任意のビデオ・エンドポイントであり、第１の位置は、第１のビデオ・エンドポイントの検出領域内の障害物が第１の時点において位置する位置である。
【００５１】
詳細には、ビデオ・サーバが、第１のビデオ・エンドポイントの検出領域内の障害物の位置に従って、ビデオ会議情報の提示方式を決定できるように、第１のビデオ・エンドポイントは、（デプス・カメラ等の）位置検出デバイスを用いることにより、第１のビデオ・エンドポイントの検出領域内の障害物のリアルタイム位置情報を収集することができ、リアルタイム位置情報をビデオ・サーバに送信することができる。第１のビデオ・エンドポイントの検出領域内の障害物は、オフィス機器、スピーカ等である。
【００５２】
Ｓ４０２。第１のビデオ・エンドポイントは、ビデオ・サーバにより送信されたビデオ会議情報及びビデオ会議情報の提示方式に関する情報を受信する。
【００５３】
ビデオ会議情報の提示方式は、第１のビデオ会議情報提示方式又は第２のビデオ会議情報提示方式である。ここで、ビデオ会議情報の提示方式は、第１の時点における第１のビデオ・エンドポイントの第１の位置に従って、ビデオ・サーバにより決定される。
【００５４】
詳細には、第１のビデオ・エンドポイントにより送信された、第１の時点における障害物の第１の位置に関する情報を受信した後、ビデオ・サーバは、さらに、第１の位置が属する第１のプリセット範囲に関する情報を取得して、第１のプリセット範囲が、第２の時点における障害物の第２の位置が属する第２のプリセット範囲と同一であるかどうかを判定する。ここで、第２の時点は、第１の時点よりも前の時点である。第１のプリセット範囲が第２のプリセット範囲と異なるとき、第１のビデオ・エンドポイントにおけるビデオ会議情報の提示方式は、更新される必要があり、ビデオ・サーバは、第１のプリセット範囲に対応する第１のビデオ会議情報提示方式を再度取得する。第１のプリセット範囲が第２のプリセット範囲と同一であるとき、第１のビデオ・エンドポイントにおけるビデオ会議情報の提示方式は、更新される必要がない。第１のプリセット範囲に対応するビデオ会議情報提示方式は、第２のビデオ会議情報提示方式のままである。ビデオ会議情報の提示方式を取得した後、ビデオ・サーバは、ビデオ会議情報及びビデオ会議情報の提示方式に関する情報を第１のビデオ・エンドポイントに送信する。
【００５５】
Ｓ４０３。第１のビデオ・エンドポイントは、第１のビデオ会議情報提示方式又は第２のビデオ会議情報提示方式で、受信したビデオ会議情報を提示する。
【００５６】
詳細には、ビデオ・サーバにより送信されたビデオ会議情報及びビデオ会議情報の提示方式に関する情報を受信した後、第１のビデオ・エンドポイントは、ビデオ会議情報を参加者に提示することができる。
【００５７】
この実施形態において、第１のビデオ・エンドポイントにより送信される第１の位置に関する情報を受信した後、ビデオ・サーバが、第１の位置が属する第１のプリセット範囲に関する情報を取得できるように、第１のビデオ・エンドポイントは、第１の時点における第１のビデオ・エンドポイントの検出領域内の障害物の第１の位置に関する情報をビデオ・サーバに送信し；第１のプリセット範囲が、第２の時点における障害物の第２の位置が属する第２のプリセット範囲と同一であるかどうかを判定し、ここで、第２の時点は、第１の時点よりも前の時点であり；最後に、ビデオ会議情報の提示方式を取得して、ビデオ会議情報及びビデオ会議情報の提示方式に関する情報を第１のビデオ・エンドポイントに送信する。第１のビデオ・エンドポイントは、ビデオ会議情報を提示する。それにより、参加者の閲覧を容易にする方式でビデオ会議情報を提示することができ；障害物がビデオ会議情報を遮ることを回避することができ；ビデオ会議における参加者間の通信効率を向上させることができる。
【００５８】
前述の方法において、ビデオ会議情報の提示方式は、ビデオ会議情報表示インタフェースのサイズ、位置、及び透明度を含み得る。
【００５９】
図５は、本発明に従ったビデオ会議情報提示方法の実施形態５の概略図である。図５に示されるように、ビデオ・エンドポイントにおいて、話者５０１が、ビデオ・エンドポイントの検出領域５０２内に立っている。ビデオ会議情報は、参加者のプロフィール画像及び会議ドキュメントを含む。ビデオ会議情報は、ビデオ・エンドポイントの表示デバイス５０３上に動的に提示される。話者５０１が、ビデオ・エンドポイントの検出領域５０２の中央に立っているとき、別々のドキュメント１、ドキュメント２、及びドキュメント３である表示されるドキュメントは、両側に移動し、分散されて提示される。参加者が、ビデオ会議情報のより良い閲覧効果を得ることができるように、ビデオ会議情報表示インタフェースのサイズ、位置、及び透明度が、ビデオ・エンドポイントの検出領域内の障害物の位置に従って調整され得る。それにより、ビデオ会議における参加者間の通信効率を向上させることができる。
【００６０】
図６は、本発明に従ったビデオ会議情報提示方法の実施形態６のフローチャートである。図６に示されるように、この実施形態における方法は、以下の内容を含み得る。
【００６１】
Ｓ６０１。ビデオ・エンドポイントは、位置検出デバイスを用いることにより、ビデオ・エンドポイントの検出領域内の障害物をモニタリングする。
【００６２】
詳細には、（デプス・カメラ等の）１以上の位置検出デバイスが、各ビデオ・エンドポイントに取り付けられる。ここで、位置検出デバイスは、ビデオ・エンドポイントの検出領域内の障害物を検出するよう構成される。
【００６３】
Ｓ６０２。ビデオ・エンドポイントは、ビデオ・エンドポイントの検出領域内に障害物が存在するかどうかを判定する。
【００６４】
詳細には、ビデオ・エンドポイントは、位置検出デバイスのモニタリング情報に従って、ビデオ・エンドポイントの検出領域内に障害物が存在するかどうかを判定する。ビデオ・エンドポイントの検出領域内に障害物が存在しない場合、Ｓ６０１が実行される。ビデオ・エンドポイントの検出領域内に障害物が存在する場合、Ｓ６０３が実行される。
【００６５】
Ｓ６０３。ビデオ・エンドポイントは、位置検出デバイスを用いることにより、ビデオ・エンドポイントの検出領域内の障害物の位置に関する情報を、リアルタイムに収集する。
【００６６】
Ｓ６０４。ビデオ・エンドポイントは、ビデオ・エンドポイントの検出領域内の障害物の位置に関するリアルタイム情報をビデオ・サーバに送信する。
【００６７】
Ｓ６０５。ビデオ・サーバは、障害物の位置が属するプリセット範囲を取得する。
【００６８】
詳細には、ビデオ・サーバは、障害物が位置するビデオ・エンドポイントのプリセット範囲に関する情報を記憶する。したがって、障害物の位置が属するプリセット範囲が、障害物の位置に関する情報に従って、検索により取得される。
【００６９】
Ｓ６０６。ビデオ・サーバは、プリセット範囲に対応するビデオ会議情報提示方式を取得する。
【００７０】
詳細には、ビデオ・サーバは、ビデオ・エンドポイントの各プリセット範囲に対応するビデオ会議情報提示方式を予め生成することができる。ビデオ・エンドポイントの障害物の位置が属するプリセット範囲を取得した後、ビデオ・サーバは、検索により、プリセット範囲に対応するビデオ会議情報提示方式を直接取得することができる。
【００７１】
Ｓ６０７。ビデオ・サーバは、ビデオ会議情報及びビデオ会議情報の提示方式に関する情報をビデオ・エンドポイントに送信する。
【００７２】
Ｓ６０８。ビデオ・エンドポイントは、ビデオ会議情報を提示する。
【００７３】
この実施形態において、ビデオ・エンドポイントは、まず、ビデオ・エンドポイントの検出領域内の障害物のリアルタイム位置情報をビデオ・サーバに送信する。ビデオ・エンドポイントにより送信された障害物の位置に関する情報を受信した後、ビデオ・サーバは、障害物の位置が属するプリセット範囲に関する情報を取得することにより、障害物の位置に対応するビデオ会議情報の提示方式を取得し；ビデオ会議情報及びビデオ会議情報の提示方式をビデオ・エンドポイントに送信する。ビデオ・エンドポイントは、受信したビデオ会議情報の提示方式で、ビデオ会議情報を提示する。それにより、障害物がビデオ会議情報を遮ることを回避することができ、ビデオ会議における参加者間の通信効率を向上させることができる。
【００７４】
図７は、本発明に従ったビデオ会議情報提示装置の実施形態１の概略構造図である。図７に示されるように、この実施形態におけるビデオ会議情報提示装置は、受信モジュール７０１、取得モジュール７０２、判定モジュール７０３、及び送信モジュール７０４を含み得る。受信モジュール７０１は、第１のビデオ・エンドポイントにより送信された、第１の時点における障害物の第１の位置に関する情報を受信するよう構成される。ここで、第１のビデオ・エンドポイントは、マルチポイント・ビデオ会議における任意のビデオ・エンドポイントであり、第１の位置は、第１のビデオ・エンドポイントの検出領域内の障害物が第１の時点において位置する位置である。取得モジュール７０２は、第１のプリセット範囲に関する情報を取得するよう構成される。ここで、第１のプリセット範囲は、第１の位置が属するプリセット範囲であり、プリセット範囲は、第１のビデオ・エンドポイントの検出領域を予め分割することにより形成された領域モジュールである。判定モジュール７０３は、第１のプリセット範囲が第２のプリセット範囲と同一であるかどうかを判定するよう構成される。ここで、第２のプリセット範囲は、第２の時点における障害物の第２の位置が属するプリセット範囲であり、第２の時点は、第１の時点よりも前の時点である。取得モジュール７０２は、さらに、第１のプリセット範囲に対応する第１のビデオ会議情報提示方式を取得するよう構成され得る。送信モジュール７０４は、ビデオ会議情報及びビデオ会議情報の提示方式を第１のビデオ・エンドポイントに送信するよう構成される。ここで、ビデオ会議情報の提示方式は、第１のビデオ会議情報提示方式である。送信モジュール７０４は、さらに、ビデオ会議情報及びビデオ会議情報の提示方式を第１のビデオ・エンドポイントに送信するよう構成され得る。ここで、ビデオ会議情報の提示方式は、第２のビデオ会議情報提示方式であり、第２のビデオ会議情報提示方式は、第２のプリセット範囲に対応するビデオ会議情報提示方式である。
【００７５】
この実施形態におけるビデオ会議情報提示装置は、図１に示される方法の実施形態における方法を実行するために使用することができ、対応する機能モジュールを有する。この装置の実装原理及び技術的効果は、同様であり、本明細書において再度説明しない。
【００７６】
図８は、本発明に従ったビデオ会議情報提示装置の実施形態２の概略構造図である。図８に示されるように、この実施形態におけるビデオ会議情報提示装置は、分割モジュール８０１及び計算モジュール８０２をさらに含み得る。分割モジュール８０１は、第１のビデオ・エンドポイントの検出領域を複数の領域モジュールに分割するよう構成される。ここで、各領域モジュールは、プリセット範囲に対応する。計算モジュール８０２は、各プリセット範囲に対して、計算により、各プリセット範囲に対応するビデオ会議情報提示方式を生成するよう構成される。
【００７７】
この実施形態におけるビデオ会議情報提示装置は、図２に示される方法の実施形態における方法を実行するために使用することができ、対応する機能モジュールを有する。この装置の実装原理及び技術的効果は、同様であり、本明細書において再度説明しない。
【００７８】
前述のビデオ会議情報提示装置に従うと、ビデオ会議情報提示方式は、ビデオ会議情報表示インタフェースのサイズ、位置、及び透明度を含む。
【００７９】
この実施形態におけるビデオ会議情報提示装置の実装原理及び技術的効果は、上記において説明されており、本明細書において再度説明しない。
【００８０】
図９は、本発明に従ったビデオ会議情報提示装置の実施形態３の概略構造図である。図９に示されるように、この実施形態におけるビデオ会議情報提示装置は、送信モジュール９０１、受信モジュール９０２、及び提示モジュール９０３を含み得る。送信モジュール９０１は、第１の時点における第１のビデオ・エンドポイントの第１の位置に関する情報をビデオ・サーバに送信するよう構成される。ここで、第１のビデオ・エンドポイントは、マルチポイント・ビデオ会議における任意のビデオ・エンドポイントであり、第１の位置は、第１のビデオ・エンドポイントの検出領域内の障害物が第１の時点において位置する位置である。受信モジュール９０２は、ビデオ・サーバにより送信されたビデオ会議情報及びビデオ会議情報の提示方式を受信するよう構成される。ここで、ビデオ会議情報の提示方式は、第１のビデオ会議情報提示方式又は第２のビデオ会議情報提示方式であり、ビデオ会議情報の提示方式は、第１の時点における第１のビデオ・エンドポイントの第１の位置に従って、ビデオ・サーバにより決定される。提示モジュール９０３は、第１のビデオ会議情報提示方式又は第２のビデオ会議情報提示方式で、受信したビデオ会議情報を提示するよう構成される。
【００８１】
この実施形態におけるビデオ会議情報提示装置は、図４に示される方法の実施形態における方法を実行するために使用することができ、対応する機能モジュールを有する。この装置の実装原理及び技術的効果は、同様であり、本明細書において再度説明しない。
【００８２】
前述のビデオ会議情報提示装置に従うと、ビデオ会議情報の提示方式は、ビデオ会議情報表示インタフェースのサイズ、位置、及び透明度を含む。
【００８３】
この実施形態におけるビデオ会議情報提示装置の実装原理及び技術的効果は、上記において説明されており、本明細書において再度説明しない。
【００８４】
図１０は、本発明の実施形態に従ったビデオ会議情報提示システムの概略構造図である。図１０に示されるように、この実施形態におけるビデオ会議情報提示システムは、ビデオ・サーバ１００１及びビデオ・エンドポイント１００２を含み得る。このシステムの実装原理及び技術的効果については、前述の方法の実施形態を参照されたい。詳細は、本明細書において再度説明しない。
【００８５】
最後に、前述の実施形態は、本発明を限定するためではなく、本発明の技術的解決策を説明するために意図されているに過ぎないことに留意すべきである。前述の実施形態を参照して本発明が詳細に説明されるが、当業者は、本発明の実施形態の技術的解決策の精神及び範囲から逸脱することなく、前述の実施形態において説明された技術的解決策にさらに変更を加えることができ、あるいは、前述の実施形態のいくつかの技術的特徴に均等な置換を施すことができることを当業者は理解すべきである。
【図１】
2016523053.tif 000003
【図２】
2016523053.tif 000004
【図３】
2016523053.tif 000005
【図４】
2016523053.tif 000006
【図５】
2016523053.tif 000007
【図６】
2016523053.tif 000008
【図７】
2016523053.tif 000009
【図８】
2016523053.tif 000010
【図９】
2016523053.tif 000011
【図１０】
2016523053.tif 000012
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
ビデオ会議情報提示方法であって、
第１のビデオ・エンドポイントにより送信された、第１の時点における障害物の第１の位置に関する情報を受信するステップであって、前記第１のビデオ・エンドポイントは、マルチポイント・ビデオ会議における任意のビデオ・エンドポイントであり、前記第１の位置は、前記第１のビデオ・エンドポイントの検出領域内の前記障害物が前記第１の時点において位置する位置である、受信するステップと、
第１のプリセット範囲に関する情報を取得するステップであって、前記第１のプリセット範囲は、前記第１の位置が属するプリセット範囲であり、前記プリセット範囲は、前記第１のビデオ・エンドポイントの前記検出領域を予め分割することにより形成された領域モジュールである、取得するステップと、
前記第１のプリセット範囲が第２のプリセット範囲と同一であるかどうかを判定するステップであって、前記第２のプリセット範囲は、第２の時点における前記障害物の第２の位置が属するプリセット範囲であり、前記第２の時点は、前記第１の時点よりも前の時点である、判定するステップと、
前記第１のプリセット範囲が前記第２のプリセット範囲と異なる場合、前記第１のプリセット範囲に対応する第１のビデオ会議情報提示方式を取得するステップと、
ビデオ会議情報及び前記ビデオ会議情報の提示方式を前記第１のビデオ・エンドポイントに送信するステップであって、前記ビデオ会議情報の前記提示方式は、前記第１のビデオ会議情報提示方式である、送信するステップと、
前記第１のプリセット範囲が前記第２のプリセット範囲と同一である場合、前記ビデオ会議情報及び前記ビデオ会議情報の前記提示方式を前記第１のビデオ・エンドポイントに送信するステップであって、前記ビデオ会議情報の前記提示方式は、第２のビデオ会議情報提示方式であり、前記第２のビデオ会議情報提示方式は、前記第２のプリセット範囲に対応するビデオ会議情報提示方式である、送信するステップと、
を含む、ビデオ会議情報提示方法。
【請求項２】
第１のビデオ・エンドポイントにより送信された、第１の時点における障害物の第１の位置に関する情報を受信する前記ステップの前に、
前記第１のビデオ・エンドポイントの前記検出領域を複数の領域モジュールに分割するステップであって、各領域モジュールは、プリセット範囲に対応する、分割するステップと、
各プリセット範囲に従って、各プリセット範囲に対応するビデオ会議情報提示方式を計算して生成するステップと、
をさらに含む、請求項１記載のビデオ会議情報提示方法。
【請求項３】
前記ビデオ会議情報提示方式は、ビデオ会議情報表示インタフェースのサイズ、位置、及び透明度を含む、請求項１又は２記載のビデオ会議情報提示方法。
【請求項４】
ビデオ会議情報提示方法であって、
第１のビデオ・エンドポイントにより、第１の時点における前記第１のビデオ・エンドポイントの第１の位置に関する情報をビデオ・サーバに送信するステップであって、前記第１のビデオ・エンドポイントは、マルチポイント・ビデオ会議における任意のビデオ・エンドポイントであり、前記第１の位置は、前記第１のビデオ・エンドポイントの検出領域内の障害物が前記第１の時点において位置する位置である、送信するステップと、
前記第１のビデオ・エンドポイントにより、前記ビデオ・サーバにより送信されたビデオ会議情報及び前記ビデオ会議情報の提示方式を受信するステップであって、前記ビデオ会議情報の前記提示方式は、第１のビデオ会議情報提示方式又は第２のビデオ会議情報提示方式であり、前記ビデオ会議情報の前記提示方式は、前記第１の時点における前記第１のビデオ・エンドポイントの前記第１の位置に従って、前記ビデオ・サーバにより決定される、受信するステップと、
前記第１のビデオ・エンドポイントにより、前記第１のビデオ会議情報提示方式又は前記第２のビデオ会議情報提示方式で、前記の受信したビデオ会議情報を提示するステップと、
を含む、ビデオ会議情報提示方法。
【請求項５】
前記ビデオ会議情報の前記提示方式は、ビデオ会議情報表示インタフェースのサイズ、位置、及び透明度を含む、請求項４記載のビデオ会議情報提示方法。
【請求項６】
サーバ・サイドのビデオ会議情報提示装置であって、
第１のビデオ・エンドポイントにより送信された、第１の時点における障害物の第１の位置に関する情報を受信するよう構成された受信モジュールであって、前記第１のビデオ・エンドポイントは、マルチポイント・ビデオ会議における任意のビデオ・エンドポイントであり、前記第１の位置は、前記第１のビデオ・エンドポイントの検出領域内の前記障害物が前記第１の時点において位置する位置である、受信モジュールと、
第１のプリセット範囲に関する情報を取得するよう構成された取得モジュールであって、前記第１のプリセット範囲は、前記第１の位置が属するプリセット範囲であり、前記プリセット範囲は、前記第１のビデオ・エンドポイントの前記検出領域を予め分割することにより形成された領域モジュールである、取得モジュールと、
前記第１のプリセット範囲が第２のプリセット範囲と同一であるかどうかを判定するよう構成された判定モジュールであって、前記第２のプリセット範囲は、第２の時点における前記障害物の第２の位置が属するプリセット範囲であり、前記第２の時点は、前記第１の時点よりも前の時点であり、前記取得モジュールは、さらに、前記第１のプリセット範囲に対応する第１のビデオ会議情報提示方式を取得するよう構成される、判定モジュールと、
ビデオ会議情報及び前記ビデオ会議情報の提示方式を前記第１のビデオ・エンドポイントに送信するよう構成された送信モジュールであって、前記ビデオ会議情報の前記提示方式は、前記第１のビデオ会議情報提示方式であり、前記送信モジュールは、さらに、前記ビデオ会議情報及び前記ビデオ会議情報の前記提示方式を前記第１のビデオ・エンドポイントに送信するよう構成され、前記ビデオ会議情報の前記提示方式は、第２のビデオ会議情報提示方式であり、前記第２のビデオ会議情報提示方式は、前記第２のプリセット範囲に対応するビデオ会議情報提示方式である、送信モジュールと、
を備えた、ビデオ会議情報提示装置。
【請求項７】
前記第１のビデオ・エンドポイントの前記検出領域を複数の領域モジュールに分割するよう構成された分割モジュールであって、各領域モジュールは、プリセット範囲に対応する、分割モジュールと、
各プリセット範囲に従って、各プリセット範囲に対応するビデオ会議情報提示方式を計算して生成するよう構成された計算モジュールと、
をさらに備えた、請求項６記載のビデオ会議情報提示装置。
【請求項８】
前記ビデオ会議情報提示方式は、ビデオ会議情報表示インタフェースのサイズ、位置、及び透明度を含む、請求項６又は７記載のビデオ会議情報提示装置。
【請求項９】
エンドポイント・サイドのビデオ会議情報提示装置であって、
第１の時点における第１のビデオ・エンドポイントの第１の位置に関する情報をビデオ・サーバに送信するよう構成された送信モジュールであって、前記第１のビデオ・エンドポイントは、マルチポイント・ビデオ会議における任意のビデオ・エンドポイントであり、前記第１の位置は、前記第１のビデオ・エンドポイントの検出領域内の障害物が前記第１の時点において位置する位置である、送信モジュールと、
前記ビデオ・サーバにより送信されたビデオ会議情報及び前記ビデオ会議情報の提示方式を受信するよう構成された受信モジュールであって、前記ビデオ会議情報の前記提示方式は、第１のビデオ会議情報提示方式又は第２のビデオ会議情報提示方式であり、前記ビデオ会議情報の前記提示方式は、前記第１の時点における前記第１のビデオ・エンドポイントの前記第１の位置に従って、前記ビデオ・サーバにより決定される、受信モジュールと、
前記第１のビデオ会議情報提示方式又は前記第２のビデオ会議情報提示方式で、前記の受信したビデオ会議情報を提示するよう構成された提示モジュールと、
を備えた、ビデオ会議情報提示装置。
【請求項１０】
前記ビデオ会議情報の前記提示方式は、ビデオ会議情報表示インタフェースのサイズ、位置、及び透明度を含む、請求項９記載のビデオ会議情報提示装置。
【請求項１１】
ビデオ会議情報提示システムであって、
ビデオ・サーバ及びビデオ・エンドポイントを備え、
前記ビデオ・サーバは、請求項６乃至８いずれか一項記載のサーバ・サイドのビデオ会議情報提示装置を使用し、前記ビデオ・エンドポイントは、請求項９又は１０記載のエンドポイント・サイドのビデオ会議情報提示装置を使用する、ビデオ会議情報提示システム。
【手続補正２】
【補正対象書類名】明細書
【補正対象項目名】００８５
【補正方法】変更
【補正の内容】
【００８５】
最後に、前述の実施形態は、本発明を限定するためではなく、本発明の技術的解決策を説明するために意図されているに過ぎないことに留意すべきである。前述の実施形態を参照して本発明が詳細に説明されるが、当業者は、本発明の実施形態の技術的解決策の範囲から逸脱することなく、前述の実施形態において説明された技術的解決策にさらに変更を加えることができ、あるいは、前述の実施形態のいくつかの技術的特徴に均等な置換を施すことができることを当業者は理解すべきである。
【国際調査報告】
2016523053.tif 000013
2016523053.tif 000014
2016523053.tif 000015
2016523053.tif 000016